(57)【要約】      （修正有）【課題】本考案は、ブローチ保持具にブローチピンを引っ掛けるだけで簡易に装着できると共に、上着の身頃や襟の生地を傷つけず、また、ブローチを装着しない場合にも違和感がなく、さらに、制服等の上着については、同一の位置にブローチを装着して統一美を図ることができるブローチ保持具を提供する。【解決手段】ブローチ保持具１は、一片の布地の上端部を襟３と身頃２とに挟んで縫着し、下端部を身頃２の襟３の下に隠れる位置に縫着したことを特徴とする。【選択図】図１
0003210599.tif 000002
【実用新案登録請求の範囲】
【請求項１】
一片の布地の上端部を襟と身頃とに挟んで縫着し、下端部を身頃の襟の下に隠れる位置に縫着したことを特徴とするブローチ保持具。
【請求項２】
一片の布地の上端部と下端部とを襟と身頃とに挟んで環を形成し、襟の下に隠れるように縫着したことを特徴とするブローチ保持具。
【請求項３】
一片の布地の上端部を襟と身頃とに挟んで縫着又は襟の裏に縫着し、下端部を襟の裏に縫着したことを特徴とするブローチ保持具。
【請求項４】
前記一片の布地が長方形であることを特徴とする請求項１又は２又は３に記載のブローチ保持具。
【請求項５】
前記布地の下端部を端部処理していることを特徴とする請求項１から４のいずれかに記載のブローチ保持具。
【請求項６】
前記布地が合成繊維であることを特徴とする請求項１から５のいずれかに記載のブローチ保持具。
【請求項７】
請求項１から６のいずれかに記載のブローチ保持具を備えたことを特徴とする襟付き上着。
【考案の詳細な説明】
【技術分野】
【０００１】
本考案は、上着の身頃や襟の生地を傷めずに、襟の下の布地が形成する環にブローチピンを嵌めてブローチを保持するブローチ保持具に関するものである。
【背景技術】
【０００２】
従来、ジャケットや制服等の上着にブローチを付けて美しく着飾ることがされてきていた。美しく着飾るために、さまざまな発明がされており、例えば、ブローチのピンを目立たなくしてブローチと本体のデザインの自由度を拡大させると共に片手で容易に衣類に着脱できるブローチが先行技術として開示されている（文献１）。
【先行技術文献】
【特許文献】
【０００３】
【特許文献１】特開２０１２−１４３６２３号公報。
【考案の概要】
【考案が解決しようとする課題】
【０００４】
前記の先行技術や従来のブローチは、ジャケットや制服等の上着の生地に、ピンで穴を開けて保持するので、上着の生地が傷付き劣化するという問題があった。また、大人数の制服等に、統一したブローチを装着する際には、装着する位置が人によってバラバラになってしまい、美しさが損なわれてしまうという問題があった。
【０００５】
そこで、上記の問題を解決するために、ブローチ保持具にブローチピンを引っ掛けるだけで簡易に装着できると共に、上着の身頃や襟の生地を傷つけず、また、ブローチを装着しない場合にも違和感がなく、さらに、制服等の上着については、同一の位置にブローチを装着して統一美を図ることができるブローチ保持具を考案して提供するものである。
【課題を解決するための手段】
【０００６】
本考案の請求項１に係るブローチ保持具は、一片の布地の上端部を襟と身頃とに挟んで縫着し、下端部を身頃の襟の下に隠れる位置に縫着したことを特徴とする。
【０００７】
この構成を採用することによって、本考案に係る請求項１のブローチ保持具は、ブローチ保持具の上端部が襟と身頃との間に縫着されて固定されて、また、下端部は、身頃に縫着されて固定され、つまり、これらから身頃との間に環を形成する。よって、ブローチを装着する際には、ブローチピンをブローチ保持具が形成する環に嵌めて、ブローチを引っ掛けることができるので、身頃の生地にブローチピンを刺す必要がなく、生地を傷めない。したがって、身頃の生地の耐用年数を長くすることができるので、本考案に係るブローチ保持具を備えた上着を長持ちさせることができる。また、ブローチ保持具は襟の下に隠れているので、ブローチを装着した際には、ブローチだけが華やかに見え、また、ブローチを装着しなくとも違和感がなく、いずれの状態でもブローチ保持具を備えた上着の美観を保つことができる。なお、本考案に係るブローチ保持具は、若干環を弛ませて縫着するのが、ブローチピンを通しやすく好適である。
【０００８】
本考案の請求項２に係るブローチ保持具は、一片の布地の上端部と下端部とを襟と身頃とに挟んで環を形成し、襟の下に隠れるように縫着したことを特徴とする。また、本考案の請求項３に係るブローチ保持具は、一片の布地の上端部を襟と身頃とに挟んで縫着又は襟の裏に縫着し、下端部を襟の裏に縫着したことを特徴とする。
【０００９】
これらの構成を採用することによって、本考案に係る請求項２のブローチ保持具は、ブローチ保持具の上端部と下端部とが襟と身頃との間に、又は襟の裏に、縫着されて固定されて、環を形成する。また、本考案に係る請求項３のブローチ保持具は、ブローチ保持具の上端部が襟と身頃との間に縫着されて固定されて、また、下端部は、襟の裏に縫着されて固定され、これらから襟との間に環を形成する。よって、ブローチを装着する際には、ブローチピンをブローチ保持具が形成する環に嵌めて、ブローチを引っ掛けることができるので、身頃や襟の生地にブローチピンを刺す必要がなく、生地を傷めない。したがって、身頃や襟の生地の耐用年数を長くすることができるので、本考案に係るブローチ保持具を備えた上着を長持ちさせることができる。また、ブローチ保持具は襟の下に隠れているので、ブローチを装着した際には華やかに見え、また、ブローチを装着しなくとも違和感がなく、いずれの状態でもブローチ保持具を備えた上着の美観を保つことができる。なお、本考案に係るブローチ保持具は、若干環を弛ませて縫着するのが、ブローチピンを通しやすく好適である。
【００１０】
請求項４に係るブローチ保持具は、請求項１又は２又は３に記載のブローチ保持具において、前記一片の布地が長方形であることを特徴とする。また、請求項５に係るブローチ保持具は、請求項１から４のいずれかに記載のブローチ保持具において、前記布地の下端部を端部処理していることを特徴とする。また、請求項６に係るブローチ保持具は、請求項１から５のいずれかに記載のブローチ保持具において、前記布地が合成繊維であることを特徴とする。
【００１１】
これらの構成を採用することによって、本考案に係るブローチ保持具は、一片の布地が長方形なので、ブローチ保持具が形成する環に、ブローチピンを通した際に、ブローチの荷重が、ブローチ保持具の下端部と、身頃又は襟とを縫合した縫糸全体に満遍なくかかる。よって、縫い糸の負担が小さくなって切れにくくなり、本考案に係るブローチ保持具を備えた上着の耐久性が向上する。また、ブローチ保持具の端部処理がされているので、ブローチ保持具がほぐれずにブローチ保持具の耐久性が向上すると共に、ほぐれた繊維が襟からはみ出さないので見栄えが悪くならない。また、ブローチ保持具の布地に合成繊維を用いれば、ブローチ保持具の耐久性が向上するうえに、ブローチ保持具を備えた上着を洗濯してもブローチ保持具は縮まない。なお、合成繊維の一例として、ポリエステル、ナイロンなどがある。
【００１２】
請求項７に係る襟付き上着は、請求項１から６のいずれかに記載のブローチ保持具を備えたことを特徴とする。
【００１３】
この構成を採用することによって、本考案に係る請求項７の上着は、ブローチを簡易に装着することができる。また、制服等の上着であれば、ブローチの装着する位置を同じにできるので、統一美を図ることができる。また、ブローチ保持具は、上着の左右どちらに備えてもよいし、また両方に備えることもでき、いろいろなバリエーションを楽しむことができる。
【考案の効果】
【００１４】
本考案に係る請求項１から６のブローチ保持具及び請求項７のブローチ保持具を備えた襟付き上着によれば、ブローチピンをブローチ保持具が形成する環に嵌め通すだけでよく、装着が簡易で、しかも、身頃や襟の生地を傷めないので、ブローチ保持具を備えた上着の長寿命化を図ることができる。また、ブローチ保持具の位置を統一すれば、ブローチの位置が統一され、これを制服等に用いれば統一美を図ることができる。
【図面の簡単な説明】
【００１５】
【図１】図１は、本考案を実施するための形態に係るブローチ保持具を備えた襟付き上着の模式的正面図である。
【図２】図２は、本考案を実施するための形態に係るブローチ保持具を備えた襟付き上着の襟を捲った状態であって、ブローチ保持具の下端部を身頃に縫着した襟部の模式的正面図である。
【図３】図３は、本考案を実施するための形態に係るブローチ保持具を備えた襟付き上着の襟を捲った状態であって、ブローチ保持具下端部を襟に縫着した襟部の模式的正面図である。
【図４】図４は、本考案を実施するための形態に係るブローチ保持具を備えた襟付き上着の襟を捲った状態であって、ブローチ保持具上端部及び下端部を身頃と襟との間に縫着した襟部の模式的正面図である。
【図５】図５は、本考案を実施するための形態に係るブローチ保持具に装着するブローチの模式的裏面図である。
【図６】図６は、本考案を実施するための形態に係るブローチ保持具を備えた襟付き上着の模式的使用状態図である。
【考案を実施するための形態】
【００１６】
本考案に係るブローチ保持具１は、図１、図２、図３、図４に示すように、一片の布地でできている。そして、ブローチ保持具１の上端部４を上着の身頃２と襟３との間に縫着し、また、ブローチ保持具１の下端部５を身頃２又は襟３に縫着して、ブローチ保持具１と、身頃２又は襟３との間にブローチ２０を保持する環状体を形成している。また、別の形態として、ブローチ保持具１の上端部４と下端部５とを上着の身頃２と襟３との間に縫着して、ブローチ２０を保持する環状体を形成している。さらに別の形態として、ブローチ保持具１の上端部４と下端部５とを共に襟３の裏に縫着して環状体を形成している。その環にブローチピン２１を嵌め通してブローチ２０を引っ掛けて保持する。よって、ブローチピン２１をブローチ保持具１に引っ掛けるだけなので、ブローチ２０を簡易に装着し、外すことができる。なお、ブローチ保持具１の下端部５は、襟３によって隠れる位置に縫着される。
【００１７】
ブローチ保持具１は、ブローチ２０を装着した状態でも、また、装着していない状態でも、どちらの状態であっても襟３の下に隠れているので、ブローチ２０を装着した場合はブローチ２０が華やかに見え、また、ブローチ２０等のアクセサリーを装着しない場合でも違和感はない。
【００１８】
ブローチ保持具１の形状は、上端部４と下端部５を縫着できて、襟の下に隠れる大きさや形状であればよく、図２、図３、図４に示すように、ブローチ保持具１とブローチピン２１との接触する箇所が線状となるので、ブローチ保持具１の形状は、長方形が、ブローチ２０の荷重が一点に集中せずに縫い糸に過剰な負担を掛けないので好適である。また、ブローチ保持具１の布地の素材は、耐久性がよく洗濯しても縮まない合成繊維系の生地がよい。合成繊維系生地の一例として、ポリエステル、ナイロン等がある。
【００１９】
ブローチ保持具１は、上着１０の左右のどちらに備えてもよいし、その両方でもよいし、片側や両側に複数個備えてもよい。
【００２０】
本考案に係るブローチ保持具１を備えた上着１０の製造方法の一例を図２に基づいて説明する。まず、長方形の布地の上端部４を、女性の１００の鎖骨付近位置に、身頃２と襟３との間に挟んで一緒に縫合する。よって、ブローチ保持具１を縫着する際に、身頃２や襟３の縫合箇所が少なくすることができるので生地を傷めにくくなる。そして、襟３に隠れる位置であって、ブローチピン２１を保持したい位置で下端部５を身頃２に縫着し、その上着１０のその他の箇所を仕上げれば上着１０は完成である。なお、下端部５を縫着する際に、ブローチ保持具１をブローチピン２１が嵌め通りやすくなるように、身頃２又は襟３から少し距離を離した環状体にするのがよい。また、ブローチ保持具１を備える位置は、ブローチ２０が華やかに見え、しかも上着１０を着た女性１００が作業等をする際に邪魔になりにくい鎖骨付近がよい。
【００２１】
また、別の製造方法の一例として、図３に示すように、ブローチ保持具１の下端部５の縫着する位置を襟３の裏であって、通常の状態で外部から見えない位置でブローチピン２１保持したい位置にすることもできる。さらに、ブローチ保持具１の上端部４の縫着する位置を襟３の裏であって、通常の状態で外部から見えない位置でブローチピン２１保持したい位置にすることもできる。
【００２２】
さらに別の製造方法の１例として、図４に示すように、長方形の布地の上端部４と下端部５との両方を、女性の１００の鎖骨付近位置に、身頃２と襟３との間に挟んで一緒に縫合して環を形成することもできる。
【００２３】
次に、本考案に係るブローチ保持具１の使用方法の一例を図５に基づいて説明する。まず、本考案に係るブローチ保持具１を備えた上着１０の襟を持ち上げて捲る。そして、ブローチピン２１を、ブローチ保持具１と身頃２との間に形成した環に嵌め通して、ブローチピン２１をロックして固定する。その後、襟３を元の位置に戻して、ブローチ２０と襟３を整えて使用状態となる。
【００２４】
本考案に係るブローチ保持具１を用いれば、上着１０の身頃２や襟３に、ブローチピン２１を刺さずに、ブローチ２０を保持できるので、上着１０の身頃２や襟３の生地が傷まず、生地の耐久性が向上し、ひいては、上着１０の耐久性が向上することになる。また、ブローチ保持具１は、外から見えないのでブローチ２０等のアクセサリーが華やかに見えるし、また、ブローチ２０を装着していない場合でも違和感はない。また、ブローチピン２１を通すだけなので、ブローチ２０の装着がとても簡易である。また、制服１０等に本考案に係るブローチ保持具１を用いれば、制服１０の同じ位置に同じブローチ２０を装着できるので、統一美が図ることができる。
【産業上の利用可能性】
【００２５】
上着、特に職場や学校の制服の分野で広く利用できる。
【符号の説明】
【００２６】
１：ブローチ保持具
２：身頃                            
３：襟
４：ブローチ保持具上端部            
５：ブローチ保持具下端部
１０：上着
２０：ブローチ                      
２１：ブローチピン
１００：女性
【図１】
0003210599.tif 000003
【図２】
0003210599.tif 000004
【図３】
0003210599.tif 000005
【図４】
0003210599.tif 000006
【図５】
0003210599.tif 000007
【図６】
0003210599.tif 000008